【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
外科手術用ステープル留め装置であって、前記外科手術用ステープル留め装置は、
ステープル保持スロットを規定する第一の組織直面表面を含むカートリッジアセンブリと、
前記カートリッジアセンブリに旋回可能に結合されたアンビルアセンブリであって、前記カートリッジアセンブリの前記ステープル保持スロットから排出されたステープルを形成するためのステープルポケットを規定する第二の組織直面表面を含むアンビルアセンブリと、
少なくとも２つの外科手術用バットレスであって、前記少なくとも２つの外科手術用バットレスは、前記第一の組織直面表面に取り外し可能に配置された第一の外科手術用バットレスと、前記第二の組織直面表面に取り外し可能に配置された第二の外科手術用バットレスとを含む、少なくとも２つの外科手術用バットレスと、
前記第一の組織直面表面と前記第二の組織直面表面との間に取り外し可能に配置された弾力性のある多孔性材料であって、前記弾力性のある多孔性材料は、前記少なくとも１つの外科手術用バットレスに接触し、前記弾力性のある多孔性材料は、前記カートリッジアセンブリおよび前記アンビルアセンブリを離間位置に向かって弾力的に付勢し、前記弾力性のある多孔性材料は、前記カートリッジアセンブリと前記アンビルアセンブリとが近接することによって前記弾力性のある多孔性材料が圧縮されるときに、前記弾力性のある多孔性材料から液体を排出するように構成されており、前記弾力性のある多孔性材料は、頂表面および底表面を含み、前記カートリッジアセンブリおよび前記アンビルアセンブリが前記離間位置にあるときに、前記頂表面の遠位部分は、前記第二の外科手術用バットレスの遠位部分に当接係合しており、前記底表面の遠位部分は、前記第一の外科手術用バットレスの遠位部分に当接係合している、弾力性のある多孔性材料と
を備え、
前記離間位置は、前記カートリッジアセンブリと前記アンビルアセンブリとが離間されることが可能な最大の位置である、外科手術用ステープル留め装置。
【請求項２】
前記弾力性のある多孔性材料は、スポンジである、請求項１に記載の外科手術用ステープル留め装置。
【請求項３】
前記スポンジは、細長い形状を有し、かつ、第一の端部および第二の端部を有し、前記スポンジは、前記第一の端部から前記第二の端部に向かってテーパ状である、請求項２に記載の外科手術用ステープル留め装置。
【請求項４】
前記弾力性のある多孔性材料は、前記少なくとも１つの外科手術用バットレスの長さに等しい長さを有し、かつ、前記少なくとも１つの外科手術用バットレスの幅に等しい幅を有する、請求項１に記載の外科手術用ステープル留め装置。
【請求項５】
前記弾力性のある多孔性材料は、前記第一の組織直面表面と前記第二の組織直面表面との間に規定される空間を占有するようなサイズおよび寸法にされている、請求項１に記載の外科手術用ステープル留め装置。
【請求項６】
前記カートリッジアセンブリと前記アンビルアセンブリとは、互いに対して、前記離間位置から近接位置まで選択的に移動可能であり、前記カートリッジアセンブリと前記アンビルアセンブリとは、協働することにより、前記カートリッジアセンブリと前記アンビルアセンブリとの間に組織を把持する、請求項１に記載の外科手術用ステープル留め装置。
【請求項７】
前記弾力性のある多孔性材料は、水溶性接着剤を含む、請求項１に記載の外科手術用ステープル留め装置。
【請求項８】
前記少なくとも１つの外科手術用バットレスは、少なくとも１個のアンカーによって、前記アンビルアセンブリおよび前記カートリッジアセンブリのうちの少なくとも一方に固定される、請求項１に記載の外科手術用ステープル留め装置。
【請求項９】
外科手術用ステープル留めシステムであって、前記外科手術用ステープル留めシステムは、
ツールアセンブリであって、
ステープル保持スロットを規定する第一の組織直面表面を含むカートリッジアセンブリと、
前記カートリッジアセンブリに旋回可能に結合されたアンビルアセンブリであって、前記カートリッジアセンブリの前記ステープル保持スロットから排出されたステープルを形成するためのステープルポケットを規定する第二の組織直面表面を含むアンビルアセンブリと、
前記カートリッジアセンブリの前記第一の組織直面表面に取り外し可能に配置された第一の外科手術用バットレスと、前記アンビルアセンブリの前記第二の組織直面表面に取り外し可能に配置された第二の外科手術用バットレスと
を備える、ツールアセンブリと、
前記第一の組織直面表面と前記第二の組織直面表面との間で取り外し可能に配置され、かつ、前記外科手術用バットレスに接触するように構成された弾力性のある多孔性材料であって、前記弾力性のある多孔性材料は、前記カートリッジアセンブリおよび前記アンビルアセンブリを離間位置に向かって弾力的に付勢し、前記弾力性のある多孔性材料は、前記カートリッジアセンブリと前記アンビルアセンブリとが近接することによって前記弾力性のある多孔性材料が圧縮されるときに、前記弾力性のある多孔性材料から液体を排出するように構成されており、前記弾力性のある多孔性材料は、頂表面および底表面を含み、前記カートリッジアセンブリおよび前記アンビルアセンブリが前記離間位置にあるときに、前記頂表面の遠位部分は、前記第二の外科手術用バットレスの遠位部分に当接係合しており、前記底表面の遠位部分は、前記第一の外科手術用バットレスの遠位部分に当接係合している、弾力性のある多孔性材料と
を備え、
前記離間位置は、前記カートリッジアセンブリと前記アンビルアセンブリとが離間されることが可能な最大の位置である、外科手術用ステープル留めシステム。
【請求項１０】
前記弾力性のある多孔性材料は、スポンジである、請求項９に記載の外科手術用ステープル留めシステム。
【請求項１１】
前記スポンジは、細長い形状を有し、かつ、第一の端部および第二の端部を有し、前記スポンジは、前記第一の端部から前記第二の端部に向かってテーパ状である、請求項１０に記載の外科手術用ステープル留めシステム。
【請求項１２】
前記弾力性のある多孔性材料は、前記外科手術用バットレスの長さに等しい長さを有し、かつ、前記外科手術用バットレスの幅に等しい幅を有する、請求項９に記載の外科手術用ステープル留めシステム。
【請求項１３】
前記弾力性のある多孔性材料は、水溶性接着剤を含む、請求項９に記載の外科手術用ステープル留めシステム。
【請求項１４】
外科手術用ステープル留め装置を準備する方法であって、前記方法は、
ツールアセンブリを提供することであって、前記ツールアセンブリは、
第一の組織直面表面を有するカートリッジアセンブリと、
第二の組織直面表面を有するアンビルアセンブリと
を備える、ことと、
少なくとも２つの外科手術用バットレスを提供することであって、前記少なくとも２つの外科手術用バットレスは、前記第一の組織直面表面に取り外し可能に固定された第一の外科手術用バットレスと、前記第二の組織直面表面に取り外し可能に固定された第二の外科手術用バットレスとを含む、ことと、
弾力性のある多孔性材料が前記少なくとも１つの外科手術用バットレスに当接係合し、かつ、前記カートリッジアセンブリおよび前記アンビルアセンブリを離間位置に向かって弾力的に付勢するように、前記弾力性のある多孔性材料を前記第一の組織直面表面と前記第二の組織直面表面との間に配置することであって、前記弾力性のある多孔性材料は、頂表面および底表面を含み、前記カートリッジアセンブリおよび前記アンビルアセンブリが前記離間位置にあるときに、前記頂表面の遠位部分は、前記第二の外科手術用バットレスの遠位部分に当接係合しており、前記底表面の遠位部分は、前記第一の外科手術用バットレスの遠位部分に当接係合している、ことと、
前記弾力性のある多孔性材料を濡らすことと、
液体が前記弾力性のある多孔性材料を出て前記少なくとも１つの外科手術用バットレスに接触するように、前記カートリッジアセンブリと前記アンビルアセンブリとを近接させることにより、前記カートリッジアセンブリと前記アンビルアセンブリとの間で前記弾力性のある多孔性材料を圧縮することと
を含み、
前記離間位置は、前記カートリッジアセンブリと前記アンビルアセンブリとが離間されることが可能な最大の位置である、方法。
【請求項１５】
前記弾力性のある多孔性材料は、スポンジである、請求項１４に記載の方法。
【請求項１６】
前記スポンジは、細長い形状を有し、かつ、第一の端部および第二の端部を有し、前記スポンジは、前記第一の端部から前記第二の端部に向かってテーパ状である、請求項１５に記載の方法。
【請求項１７】
前記弾力性のある多孔性材料は、前記少なくとも１つの外科手術用バットレスの長さに等しい長さを有し、かつ、前記少なくとも１つの外科手術用バットレスの幅に等しい幅を有する、請求項１４に記載の方法。
【請求項１８】
前記弾力性のある多孔性材料は、前記第一の組織直面表面と前記第二の組織直面表面との間に規定される空間を占有するようなサイズおよび寸法にされている、請求項１４に記載の方法。
【請求項１９】
前記弾力性のある多孔性材料を濡らすことは、前記カートリッジアセンブリと前記アンビルアセンブリとを近接させる前に、前記弾力性のある多孔性材料を生理食塩水溶液に挿入することを含む、請求項１４に記載の方法。
【請求項２０】
前記弾力性のある多孔性材料は、水溶性接着剤を含む、請求項１４に記載の方法。